(57)【要約】【課題】画像形成装置にて、例えば緊急対応や安否確認などの公共的な利用態様など、通常仕様のユーザインタフェースでは対応できない災害時の特殊な機能を含むユーザインタフェースに切り替える。【解決手段】所定のユーザインタフェース（ＵＩ）を介して認識されるユーザからの指示に基づき、取得される画像データに所定の画像処理を施す画像処理装置１０と、画像処理装置１０とネットワーク４０を介して接続されるサーバ５０とを備え、このサーバ５０は、災害に関する情報を取得し、取得された災害に関する情報を用いて、画像処理装置１０の通常のユーザインタフェースを災害時のためのユーザインタフェースに切り替える処理を行い、ＵＩ情報を配信する。【選択図】図１
2008059530.tif 000002
【特許請求の範囲】
【請求項１】
ユーザの操作を受け付ける受付手段と、当該受付手段により受け付けた操作から画像処理に関する指示を特定する指示特定手段と、当該受付手段に対する操作と当該指示特定手段により該操作から特定される当該画像処理に関する指示との対応を表す情報(操作指示対応情報)をＵＩ情報に基づいてユーザに提示する提示手段とを有し、当該指示特定手段により特定した指示に基づき、画像処理を行う画像処理装置と、
前記画像処理装置と通信を行う通信手段と、災害に関する情報を取得する災害情報取得手段と、取得された当該災害に関する情報を用いて、当該画像処理装置の前記提示手段により提示される操作指示対応情報が通常の操作指示対応情報から災害時の操作指示対応情報に切り替わるよう当該通信手段を介して制御する制御手段とを有する情報処理装置と、
を備えたことを特徴とする画像処理システム。
【請求項２】
前記情報処理装置は、複数の異なったＵＩ情報を保持するＵＩ情報保持手段と、
取得された災害に関する情報に含まれる災害状況に応じたＵＩ情報を、前記ＵＩ情報保持手段から読み出して前記画像処理装置に送信するＵＩ情報送信手段と、
を有することを特徴とする請求項１記載の画像処理システム。
【請求項３】
前記情報処理装置は、災害状況と災害の段階を対応付けた区別情報を保持する区別情報保持手段を更に備え、取得された前記災害に関する情報から当該区別情報を用いて何れかの段階を定め、段階に応じて異なった操作指示対応情報を前記画像処理装置に提供することを特徴とする請求項１記載の画像処理システム。
【請求項４】
前記情報処理装置の前記区別情報保持手段に保持される前記区別情報は、災害の評価項目と災害レベルとを対応付けたレベル判断データであり、取得された前記災害に関する情報と当該レベル判断データとのマッチングによって前記段階を定めることを特徴とする請求項３記載の画像処理システム。
【請求項５】
取得した画像データに画像形成を施して出力する複数の画像処理装置に対して、当該複数の画像処理装置の各々の提示手段に用いられるＵＩ情報を送信する送信手段と、
災害に関する情報を取得する取得手段と、
前記取得手段により取得された前記災害に関する情報から災害レベルを判断する災害レベル判断手段と、
前記送信手段により前記ＵＩ情報を送信する画像処理装置の送信先情報と前記災害レベル判断手段により判断される前記災害レベルとを用いて、当該送信手段により送信される当該ＵＩ情報を決定する決定手段と
を備えたことを特徴とする情報処理装置。
【請求項６】
前記取得手段は、情報処理装置側の受付手段を介して受け付けたユーザの操作に基づき前記災害に関する情報を取得することを特徴とする請求項５記載の情報処理装置。
【請求項７】
災害発生を自ら検知する検知手段を更に備え、
前記取得手段は、前記検知手段による検知結果から前記災害に関する情報を取得することを特徴とする請求項５記載の情報処理装置。
【請求項８】
前記取得手段は、外部の情報源から通信手段を介して前記災害に関する情報を取得することを特徴とする請求項５記載の情報処理装置。
【請求項９】
前記決定手段により用いられる前記送信先情報は、前記画像処理装置の設置場所に関する情報を含むことを特徴とする請求項５記載の情報処理装置。
【請求項１０】
ユーザの操作を受け付ける受付手段と、当該受付手段により受け付けた操作から画像処理に関する指示を特定する指示特定手段と、当該受付手段に対する操作と当該指示特定手段により該操作から特定される当該画像処理に関する指示との対応を表す情報(操作指示対応情報)をＵＩ情報に基づいてユーザに提示する提示手段とを有し、当該指示特定手段により特定した指示に基づき、画像処理を行う処理手段と、
サーバから通信手段を介して災害時ＵＩ情報を受信するＵＩ情報受信手段と、
前記ＵＩ情報受信手段により受信した前記ＵＩ情報を用いて、通常の操作指示対応情報から災害時操作指示対応情報に切り替える切替手段と
を備えたことを特徴とする画像処理装置。
【請求項１１】
前記ＵＩ情報受信手段により受信される前記ＵＩ情報は、前記通常の操作指示対応情報から一部の機能を制限するためのＵＩ情報を含むことを特徴とする請求項１０記載の画像処理装置。
【請求項１２】
前記ＵＩ情報受信手段により受信される前記ＵＩ情報は、災害発生に関する特別機能に対応する操作指示特定情報を提示させるＵＩ情報を含むことを特徴とする請求項１０記載の画像処理装置。
【請求項１３】
情報処理装置に、
災害に関する情報ファイルを取得する機能と、
取得された前記情報ファイルから、当該情報ファイルに含まれる災害情報を読み出す機能と、
災害種別毎に災害情報と災害レベルを対応させ予め定められメモリに保持されたレベル判断データを当該メモリから読み出す機能と、
前記レベル判断データと前記災害情報に基づき災害レベルを判断し作業用メモリに書き込む機能と、
ユーザインタフェース（ＵＩ）情報を送信すべき送信先クライアントの宛先をデータベースより読み出し、前記作業用メモリに書き込む機能と、
前記宛先と前記災害レベルとに応じたＵＩ情報を、予め複数のＵＩ情報が保持されているメモリから選択する機能と、
選択された前記ＵＩ情報を前記送信先クライアントに送信する機能と
を実現させるプログラム。
【請求項１４】
前記レベル判断データは、各災害情報の評価項目ごとに災害レベルに応じた基準値を含み、
情報処理装置に各評価項目ごとに前記基準値に当てはまるか否かを判断させることによって、各評価項目ごとに災害レベルを判断させ、前記作業用メモリに保持させることを特徴とする請求項１３記載のプログラム。
【請求項１５】
前記選択する機能は、前記アドレス情報から認識される前記送信先クライアントが位置する地区ごとに異なったＵＩ情報を選択することを特徴とする請求項１３記載のプログラム。
【発明の詳細な説明】
【技術分野】
【０００１】
本発明は、画像処理システム、情報処理装置、画像処理装置、プログラムに関する。
【背景技術】
【０００２】
１９９５年に日本国で発生した阪神淡路大震災、２００４年に同じく日本国で発生した新潟県中越地震などの大災害を契機として、近年、災害に対する危機管理の必要性が強く叫ばれている。災害としては、火災、気象災害（豪雨・雷・雪等）、地震・噴火・津波・台風等の大災害などがある。記録媒体に出力する画像を処理する画像処理装置などの各種機器においても、これらの災害発生時の対応が従来から検討されている。
【０００３】
ここで、従来、画像処理装置における災害発生時の対策としては、安全確保を目的とするものが存在する。公報記載の従来技術として、例えば、装置の電圧の振幅、周期の変動等から地震や装置の落下等を異常振動判定機能手段を介して確認し、定着ヒータの電力供給を強制的に停止する技術が存在する（例えば、特許文献１参照。）。
【０００４】
また他の公報記載の技術として、ネットワークや電話回線に接続された複写機やプリンタに、信号発信基からの災害信号を受信する機能を備え、災害信号を受信したときには、その災害データを用紙にプリントアウト出力し、その後電源を遮断する技術が存在する（例えば、特許文献２参照。）。
【０００５】
更に、ユーザインタフェースに関する公報記載の従来技術として、ラインモードのユーザインタフェースとグラフィカルなユーザインタフェースとが混在する対話システムで、どのようなユーザであっても、戸惑うことなくアイコンを使いこなすことができるようにして使い勝手を良くする技術が存在する（例えば、特許文献３参照。）。
また、更に、メモリ資源に依存することなく、周辺機器のバージョンアップや仕様変更に応じて必要な最新の操作画面資源を自在に管理するものがある（例えば、特許文献４参照。）。
【０００６】
【特許文献１】特開平１１−１８４３２７号公報
【特許文献２】特開２００１−０２３０６０号公報
【特許文献３】特開平１０−３３３８６５号公報
【特許文献４】特開平１１−１７５２１４号公報
【発明の開示】
【発明が解決しようとする課題】
【０００７】
ここで、例えばオフィスに配置されるファクシミリやプリンタ、複写機などの各種機能を有する画像処理装置では、オフィスでの各種業務やオフィスでのサービスの利便性を向上させるためのユーザインタフェースが採用されている。また、例えばコンビニエンスストアなどに配置された画像処理装置は、コンビニエンスストアの利用客に対する利便性を考慮したユーザインタフェースが採用されている。
【０００８】
しかしながら、例えば災害が発生したときのような緊急時、非定常時の場合には、通常は画像処理装置を全く使用しないユーザが必然的にその画像処理装置を使用しなければならない場合も生じ得る。また、このとき、例えば緊急対応や安否確認などの公共的な利用態様など、通常仕様のユーザインタフェースでは対応できない災害時の特殊な機能が付加される場合もある。このような場合に、通常仕様のユーザインタフェースでは、かかる特殊な機能を利用することができず、画像処理装置の使い勝手が非常に悪く、操作性を向上させた特別なユーザインタフェースが望まれる。
【０００９】
また更に、例えば災害が発生したときのような緊急時には、悪化が予想される電源状況へ対応するために、また安全性を確保するために、更には、例えば消耗品を節約して装置利用の長期化を図るために等、特別な目的で画像処理装置としての機能を変更/限定することが要求される場合がある。かかる場合には、例えば変更/限定した機能に応じたユーザインタフェースを準備することでユーザの使用利便性を向上させることが望ましい。
【課題を解決するための手段】
【００１０】
かかる技術的課題を解決するために、本発明が適用されるネットワークシステムは、ユーザの操作を受け付ける受付手段と、この受付手段により受け付けた操作から画像処理に関する指示を特定する指示特定手段と、受付手段に対する操作と指示特定手段により該操作から特定される画像処理に関する指示との対応を表す情報(操作指示対応情報)をＵＩ情報に基づいてユーザに提示する提示手段とを有し、この指示特定手段により特定した指示に基づき、画像処理を行う画像処理装置と、この画像処理装置と通信を行う通信手段と、災害に関する情報を取得する災害情報取得手段と、取得された災害に関する情報を用いて、画像処理装置の提示手段により提示される操作指示対応情報が通常の操作指示対応情報から災害時の操作指示対応情報に切り替わるよう通信手段を介して制御する制御手段とを有する情報処理装置と、を備えたことを特徴とする。
【００１１】
ここで、この情報処理装置は、複数の異なったＵＩ情報を保持するＵＩ情報保持手段と、取得された災害に関する情報に含まれる災害状況に応じたＵＩ情報を、ＵＩ情報保持手段から読み出して画像処理装置に送信するＵＩ情報送信手段と、を有することを特徴とする。
また、この情報処理装置は、災害状況と災害の段階を対応付けた区別情報を保持する区別情報保持手段を更に備え、取得された災害に関する情報から区別情報を用いて何れかの段階を定め、段階に応じて異なった操作指示対応情報を画像処理装置に提供することを特徴とする。
更に、この情報処理装置の区別情報保持手段に保持される区別情報は、災害の評価項目と災害レベルとを対応付けたレベル判断データであり、取得された災害に関する情報とレベル判断データとのマッチングによって段階を定めることを特徴とする。
【００１２】
一方、本発明が適用される情報処理装置は、取得した画像データに画像形成を施して出力する複数の画像処理装置に対して、複数の画像処理装置の各々の提示手段に用いられるＵＩ情報を送信する送信手段と、災害に関する情報を取得する取得手段と、この取得手段により取得された災害に関する情報から災害レベルを判断する災害レベル判断手段と、この送信手段によりＵＩ情報を送信する画像処理装置の送信先情報と災害レベル判断手段により判断される災害レベルとを用いて、送信手段により送信されるＵＩ情報を決定する決定手段とを備えたことを特徴とする。
【００１３】
ここで、この取得手段は、情報処理装置側の受付手段を介して受け付けたユーザの操作に基づき災害に関する情報を取得することを特徴とすることができる。
また、災害発生を自ら検知する検知手段を更に備え、取得手段は、検知手段による検知結果から災害に関する情報を取得することを特徴とすることができる。
更に、この取得手段は、外部の情報源から通信手段を介して災害に関する情報を取得することを特徴とすることができる。
また更に、この決定手段により用いられる送信先情報は、画像処理装置の設置場所に関する情報を含むことを特徴とする。
【００１４】
他の観点から捉えると、本発明が適用される画像処理装置は、ユーザの操作を受け付ける受付手段と、この受付手段により受け付けた操作から画像処理に関する指示を特定する指示特定手段と、この受付手段に対する操作と指示特定手段により該操作から特定される画像処理に関する指示との対応を表す情報(操作指示対応情報)をＵＩ情報に基づいてユーザに提示する提示手段とを有し、指示特定手段により特定した指示に基づき、画像処理を行う処理手段と、サーバから通信手段を介して災害時ＵＩ情報を受信するＵＩ情報受信手段と、このＵＩ情報受信手段により受信したＵＩ情報を用いて、通常の操作指示対応情報から災害時操作指示対応情報に切り替える切替手段と、を備えたことを特徴とする。
【００１５】
ここで、このＵＩ情報受信手段により受信されるＵＩ情報は、通常の操作指示対応情報から一部の機能を制限するためのＵＩ情報を含むことを特徴とする。
また、このＵＩ情報受信手段により受信されるＵＩ情報は、災害発生に関する特別機能に対応する操作指示特定情報を提示させるＵＩ情報を含むことを特徴とする。
【００１６】
更に他の観点から捉えると、本発明が適用されるプログラムは、情報処理装置に、災害に関する情報ファイルを取得する機能と、取得された情報ファイルから、この情報ファイルに含まれる災害情報を読み出す機能と、災害種別毎に災害情報と災害レベルを対応させ予め定められメモリに保持されたレベル判断データをメモリから読み出す機能と、レベル判断データと災害情報に基づき災害レベルを判断し作業用メモリに書き込む機能と、ユーザインタフェース（ＵＩ）情報を送信すべき送信先クライアントの宛先をデータベースより読み出し、作業用メモリに書き込む機能と、宛先と災害レベルとに応じたＵＩ情報を、予め複数のＵＩ情報が保持されているメモリから選択する機能と、選択されたＵＩ情報を送信先クライアントに送信する機能とを実現させる。
【００１７】
ここで、このレベル判断データは、各災害情報の評価項目ごとに災害レベルに応じた基準値を含み、情報処理装置に各評価項目ごとに基準値に当てはまるか否かを判断させることによって、各評価項目ごとに災害レベルを判断させ、作業用メモリに保持させることを特徴とする。
また、この選択する機能は、アドレス情報から認識される送信先クライアントが位置する地区ごとに異なったＵＩ情報を選択することを特徴とする。
【発明の効果】
【００１８】
請求項１に記載の発明によれば、災害が発生した際、コンピュータ装置の処理によって画像処理装置のユーザインタフェースを切り替えることが可能となり、画像処理装置側にて切り替えのための十分な処理機能を備えていない場合であっても、災害時のための特別なユーザインタフェースをユーザに提供することが可能となる。
請求項２に記載の発明によれば、災害状況に応じたＵＩ情報をメモリから読み出して、例えば即座にコンピュータ装置から配信することが可能となる。
請求項３に記載の発明によれば、例えば経験則に基づいて判断される災害の段階に適応させ、実際に取得される災害の情報に応じたユーザインタフェースを提供することができる。
請求項４に記載の発明によれば、本構成を採用しない場合に比べて、災害の段階に応じた画像処理装置のユーザインタフェースを、簡易、適切に切り替えることが可能となる。
【００１９】
請求項５に記載の発明によれば、災害時における災害のレベルに応じた特別なユーザインタフェースを、各々の画像処理装置に提供することが可能となる。
請求項６に記載の発明によれば、コンピュータ装置のユーザによる災害に関する情報を有効活用でき、本構成を採用しない場合に比べて、より適切な処理を実現できる。
請求項７に記載の発明によれば、本構成を採用しない場合に比べて、ＵＩ情報の内容決定に、コンピュータ装置が有するセンサ等の検知手段から得られた災害に関する情報を有効利用することが可能となる。
請求項８に記載の発明によれば、本構成を採用しない場合に比べて、外部の情報源を用いてより詳細な、より確実な災害に関する情報を取得することが可能となる。
請求項９に記載の発明によれば、例えば、画像処理装置が設置されている地域ごとの被害の状況に応じたユーザインタフェースに切り替えることが可能となる。
【００２０】
請求項１０に記載の発明によれば、画像を処理する画像処理装置において、本構成を採用しない場合に比べて、サーバにおける管理の下、より好ましい災害時のためのユーザインタフェースに切り替えることが可能となる。
請求項１１に記載の発明によれば、災害に際して、本構成を採用しない場合に比べて、画像処理装置の例えば延命使用が、より適切に実現できる。
請求項１２に記載の発明によれば、画像処理装置のユーザインタフェースを利用して、例えば人道的支援などを実現できる。
【００２１】
請求項１３に記載の発明によれば、本構成を採用しない場合に比べて、例えばネットワークを介して接続されている画像処理装置に対してより適切なＵＩ情報を提供できるコンピュータ装置を機能として実現できる。
請求項１４に記載の発明によれば、取得された災害情報が備える災害レベルに応じて、異なったユーザインタフェースを提供できる。
請求項１５に記載の発明によれば、特定の地域毎に異なったユーザインタフェースを提供できる。
【発明を実施するための最良の形態】
【００２２】
以下、添付図面を参照して、本発明の実施の形態について詳細に説明する。
図１は、本実施の形態が適用される画像形成システムの第１の構成例を示す機能ブロック図である。この画像形成システムは、クライアント側である画像処理装置１０と、ユーザインタフェース情報を画像処理装置１０に提供するコンピュータ装置であるサーバ５０とが、ネットワーク４０を介して接続されている。ネットワーク４０は、例えばインターネットやＶＰＮ（Virtual Private Network）、専用回線ネットワークや、イントラネットなどの企業内ネットワーク、イーサネット（登録商標）などの構内ネットワークなど、各種のネットワークを適用することができる。
【００２３】
画像処理装置１０は、プリンタやファクシミリ、複写機などとして機能する画像形成装置と一体となった組み込みコンピュータ等のコンピュータ装置や、画像形成装置に外部接続されるパーソナルコンピュータ等のコンピュータ装置、またはスキャナなどとして機能する画像入力装置と一体となった組み込みコンピュータ等のコンピュータ装置や、画像入力装置に外部接続されるパーソナルコンピュータ等のコンピュータ装置などによって実現される。これらのコンピュータ装置は、図示はしないが、ハードウェア資源として、各種ソフトウェアを実行し全体を制御するＣＰＵ、作業用のメモリであるＲＡＭ、画像処理プログラムなどの各種プログラムが保持されるＲＯＭ等を備えている。また、ハードディスクドライブ（ＨＤＤ）などの記憶媒体を備えている場合もある。尚、画像処理装置１０は、例えばコンビニエンスストアなどに設置され、例えばプリンタやファクシミリ、複写機として、また、デジタルカメラで撮影した写真をプリントアウトする装置として利用される場合がある。
【００２４】
クライアント側である画像処理装置１０は、サーバ５０からのＵＩ情報を受ける等、例えばネットワーク４０に接続されて外部との通信を実行する外部ＩＦ（インタフェース）１１と、外部ＩＦ１１によって取得されたＵＩ情報に対して受信処理を行うＵＩ情報受信部１２とを備えている。外部ＩＦ１１は、たとえば社内ネットワークやインターネット、サーバと接続するための専用線やＶＰＮ（バーチャルプライベートネットワーク）等に接続される。また、画像処理装置１０は、たとえばマウスおよびタッチパネルなどの位置指示装置またはキーボードなどの入力装置で構成されてユーザの操作を受け付ける受付部（受付手段）と、この受付部により受け付けた操作に基づき画像処理に関する指示を特定する指示特定部（指示特定手段）と、受付部に対する操作と指示特定部により該操作から特定される画像処理に関する指示との対応を表す情報(操作指示対応情報)をＵＩ情報に基づいてユーザに提示する提示部（提示手段）とを備えたユーザインタフェース（ＵＩ）１３を備えている。更に、画像処理装置１０の全体を制御する装置制御部１４を備えている。
【００２５】
ＵＩ１３の提示部は、例えばディスプレイなどの表示機能を用いて、画像処理装置１０を利用するユーザ（利用者、作業者、オペレータ等、また小売店の店員等をも含む）に対して、所定の情報を視覚提示する。ディスプレイは必要に応じて各種解像度のＶＦＤ（蛍光表示管）や液晶ディスプレイなどで実現される。また視覚提示する他に、たとえばスピーカなどの音声発生器を用いた音声での提示、ランプなどを用いた光の点滅による提示、バイブレータなどの振動を発する素子を用いた振動による提示でも良い。
受付部は、たとえばディスプレイに表示されたボタン等の仮想的なスイッチ類に対する操作を検出するディスプレイに設けられたセンサや、ハードウェアのスイッチなどで実現され、画像処理装置１０を利用するユーザから操作を受け付ける。また受付部は音声入力を行うマイクなどを用いて音声による操作を受け付けるようにしてもよい。
指示特定部は、たとえばメモリ上に保持されたプログラムをＣＰＵが実行することによって実現され、受け付けた操作から画像処理に関する指示を特定する。
ＵＩ１３は画像処理装置１０自体に設ける他、たとえば携帯電話やＰＤＡ（パーソナルデジタルアシスタンス）、電子手帳、パーソナルコンピュータなどの情報処理装置を有線または無線で接続して用いることも出来る。
【００２６】
また、画像処理に携わる各種機能として、例えば、スキャナや電話回線、外部接続されたＰＣ（パーソナルコンピュータ）などのコンピュータ等から、処理すべき画像データを取得する画像取得部２１と、取得された画像データを処理する画像処理部２２と、処理された画像データを出力する画像形成部２３とを備えている。ここで、この画像形成部２３は、例えば電子写真方式によってトナー像を用紙上に形成する画像形成方式や、例えばインクを用紙上に吐出して像を形成するインクジェット方式などを採用した画像形成装置を含むものとすることができる。尚、画像形成部２３としては、実際に用紙上に画像を形成するところまでは実行せず、所定のラインを介して接続された画像形成装置に対して画像データを出力するまでの構成とすることも可能である。
【００２７】
サーバ５０は、ディスプレイなどの表示機能やマウスなどのポインタ、キーボードなどの入力機能などを備えたユーザインタフェース（ＵＩ）５１と、ユーザインタフェース（ＵＩ）５１を介して災害情報を取得し、ＵＩ切り替えのための災害情報を出力する災害情報取得部５２とを備えている。また、出力された災害情報から、画像処理装置１０のユーザインタフェース（ＵＩ）１３の切り替えを判断するＵＩ切替判断部５３と、ＵＩ切替判断部５３からの切替要求を配信のための情報に変換するＵＩ情報配信部５４とを備えている。更に、生成されたＵＩ情報をネットワークを介して画像処理装置１０へ送信する外部ＩＦ（インタフェース）５５を備えている。また、複数の配信先クライアント（配信先である画像処理装置）の情報が保持されたクライアント情報データベース（ＤＢ）５８と、配信先クライアントの場所、種別、災害レベルに応じたＵＩ情報が保持されたＵＩ情報メモリ（データベース：ＤＢ）５９とを備えている。
【００２８】
図１に示す例では、サーバ５０は、災害に関する情報をユーザインタフェース（ＵＩ）５１から取得した場合に、画像処理装置１０のユーザインタフェース（ＵＩ）１３を通常状態から災害状態へ切り替えるためのＵＩ情報を作成して配信する。画像処理装置１０は、このＵＩ情報をサーバ５０から受信し、ユーザインタフェース（ＵＩ）１３の設定を切り替える。このとき、サーバ５０の主にＵＩ切替判断部５３では、災害種別や災害レベルなどに応じて、予めメモリに保持されているレベル判断テーブル（後述）を参照して災害レベルを認識し、その災害段階を決定する。サーバ５０のＵＩ情報配信部５４は、配信先クライアント（所定の画像処理装置１０）のアドレスをセットし、配信先クライアント（所定の画像処理装置１０）の場所や機器種別などに応じたＵＩ情報をＵＩ情報メモリ５９から読み出して外部ＩＦ５５へ出力する。外部ＩＦ５５は、ネットワーク４０を介して配信先クライアント（所定の画像処理装置１０）へＵＩ情報を配信する。このようにして、取得された災害情報が備える災害段階に応じて異なったユーザインタフェースを提供している。尚、クライアント情報データベース（ＤＢ）５８の情報をＵＩ切替判断部５３へ提供し、このＵＩ切替判断部５３は、クライアントの地区によって切替処理を変えることもできる。
【００２９】
次に、他の構成例について図２〜図４を用いて説明する。尚、図２〜図４に示す構成例では、クライアント情報ＤＢ５８およびＵＩ情報メモリ５９の記載を省略している。
図２は、画像形成システムの第２の構成例を示す機能ブロック図である。この第２の構成例では、サーバ５０において、災害に関する情報を自立的に判断する災害認識部５６を備えている点に特徴がある。災害認識部５６では、例えば、地震の初期微動(Ｐ波)を検知して、地震の規模や発生位置を検知し、地震の影響があると考えられる箇所が特定される。災害認識部５６によって認識された災害情報は、災害情報取得部５２に出力される。その後は、図１に示す第１の構成例と同様な処理が実行される。
【００３０】
図３は、画像形成システムの第３の構成例を示す機能ブロック図である。この第３の構成例では、サーバ５０は、災害に関する情報をネットワーク（ネットワーク４０など）を経由して受信し、受信した災害情報を災害情報取得部５２に出力している。例えばネットワーク４０を経由した災害情報としては、例えば、官庁や地方自治体が提供する情報や、企業などの外部団体が提供する情報などがある。災害情報取得部５２に出力された後は、図１に示す第１の構成例、図２に示す第２の構成例と同様な処理が実行される。
【００３１】
図４は、画像形成システムの第４の構成例を示す機能ブロック図である。この第４の構成例では、サーバ５０は、特定の地域毎に異なるＵＩを提供するために災害情報から地区を特定し、地区情報をＵＩ情報配信部５４に提供する地区判断部５７を備えている。サーバ５０へ提供される災害情報は、第１の構成例〜第３の構成例の態様によって得られる場合を区別するものではない。但し、第３の構成例のごとくネットワーク４０を介して得られる態様では、地域性をより正確に選別し易い。地区情報が提供されて実行される以外の処理は、第１の構成例〜第３の構成例と同様に実行される。
【００３２】
次に、前述の第１の構成例〜第４の構成例で代表される画像形成システムにて実行される処理について、フローチャートを用いて説明する。
図５は、画像形成システムにて実行される全体処理を示したフローチャートである。サーバ５０の災害情報取得部５２は、例えば第１の構成例〜第３の構成例に示すような方法によって災害情報を取得する（ステップ１０１）。災害情報取得部５２から災害情報を取得したＵＩ切替判断部５３は、後述するような所定のＵＩ切替判断処理を実行する（ステップ１０２）。その後、後述するように、ＵＩ切替判断部５３から切替要求の情報を取得したＵＩ情報配信部５４は、所定のＵＩ情報配信処理を実行し、外部ＩＦ５５からクライアント（画像処理装置１０）に対してＵＩ情報を配信する（ステップ１０３）。クライアント（画像処理装置１０）では、ＵＩ情報受信部１２にて、外部ＩＦ１１を介してＵＩ情報を受信する（ステップ１０４）。そして、ユーザインタフェース（ＵＩ）１３ではＵＩの切り替えを行って（ステップ１０５）、処理が終了する。尚、これらの処理は、サーバ５０や画像処理装置１０のＣＰＵ（図示せず）にて、作業用のメモリであるＲＡＭ等を用いて、アプリケーションプログラムにて実行される。
【００３３】
尚、このアプリケーションプログラムは、コンピュータであるサーバ５０や画像処理装置１０を顧客に対して提供する際に、装置の中にインストールされた状態にて提供される場合の他、コンピュータに実行させるプログラムをコンピュータが読取可能に記憶した記憶媒体にて提供する形態が考えられる。この記憶媒体としては、例えばＣＤ−ＲＯＭ媒体等が該当し、ＣＤ−ＲＯＭ読取装置等によってプログラムが読み取られて実行される。また、これらのプログラムは、図示しない、例えばプログラム伝送装置によってネットワークを介して提供される形態がある。このプログラム伝送装置としては、例えば、ホスト側のサーバ等に設けられ、プログラムを保持するメモリと、ネットワークを介してプログラムを提供するプログラム伝送手段とを備えている。
【００３４】
図６は、図５のステップ１０２に示すＵＩ切替判断処理を詳述するフローチャートである。サーバ５０のＵＩ切替判断部５３は、まず、災害情報取得部５２にて取得された災害情報が災害発生/追加情報であるか、または災害終了情報であるかを判断する（ステップ２０１）。災害終了情報であれば、災害レベルを０とし、通常ＵＩを選択してこの通常ＵＩをメモリにセットし（ステップ２０２）、図５のステップ１０４に示すＵＩ情報配信処理へ移行する。
【００３５】
ステップ２０１で、ＵＩ切替判断部５３が災害発生/通常情報であると判断される場合には、災害種別を判断する（ステップ２０３）。そして、例えばＨＤＤなどに保持されているレベル判断テーブルを読み出して、例えばＲＡＭ等の作業用メモリに書き込む（セットする）（ステップ２０４）。その後、取得されている災害情報を用いてレベル判断テーブルを照会する（ステップ２０５）。このとき、例えば図２に示すように、サーバ５０の例えば災害認識部５６にて自らの装置（自装置）の震度が把握される場合には、把握されるこの災害情報も災害レベルの判断に用いられる。そして、この災害情報よりレベル判断テーブルを照会した結果として得られた災害レベルを、例えばＲＡＭ等の作業用メモリに書き込んで（セットして）（ステップ２０６）、図５のステップ１０４に示すＵＩ情報配信処理へ移行する。
【００３６】
尚、ＵＩ情報の配信には、例えばＳＯＡＰ（Simple Object Access Protocol ）を用い、クライアント（画像処理装置１０）のＵＩには、Ｗｅｂ ＵＩを使用することができる。ＵＩ情報は例えばＨＴＭＬファイルで実現する。ＳＯＡＰによる通信を採用した場合には、ＵＩ情報の配信方式としてプッシュ方式でもプル方式でも、どちらでも実現することが可能となる。
【００３７】
図７は、災害情報取得部５２にて取得され、ＵＩ切替判断部５３の判断処理に用いられる災害情報の一例を示した図である。災害情報は、例えばＸＭＬファイルにて作成される。災害情報は、画像処理装置の所在地、災害種別、震度、震源地、マグニチュード、画像処理装置近隣情報などの災害レベル判断に用いられる各種情報が含まれている。『災害種別』としては、図７では『地震』の例が示されている。この災害レベルの種類に応じて、図７に示す震度、震源地、マグニチュードなどの各項目が決定される。
【００３８】
図８は、レベル判断テーブルの例を示した図である。このレベル判断テーブルは、例えばサーバ５０のＨＤＤ（図示せず）に保持される情報であり、処理プログラムを実行するＣＰＵ（図示せず）にて読み出され、このＣＰＵの作業のために、例えば作業用のメモリであるＲＡＭ（図示せず）に一時的に記憶される。レベル判断テーブルは、図８に示すように、災害種別ごとに、判断項目とその程度とが定められ、それによって災害レベルが決定できるように設定されている。災害種別としては、地震災害、風水害災害、火山災害、原子力災害、雪害災害、事故災害、および、その他災害がある。図８では、地震災害が選定されている。
【００３９】
この図８では、地震災害の評価項目として、自装置の震度、自装置から震源地までの距離、震源地のマグニチュード、近隣情報、経過時間が列挙されている。また、図８では、決定される災害レベルとして、第１の災害レベルである災害レベルＬＶ１、第２の災害レベルである災害レベルＬＶ２、第３の災害レベルである災害レベルＬＶ３が示されている。評価項目である自装置の震度については、例えば、基準値として震度５弱まで災害レベルＬＶ１、震度５強から震度７まで災害レベルＬＶ２、震度８以上で災害レベルＬＶ３とされている。
【００４０】
同様に、自装置から震源地までの距離については、例えば、基準値として５０ｋｍよりも離れているときには災害レベルＬＶ１、５０ｋｍ〜２０ｋｍのときには災害レベルＬＶ２、２０ｋｍよりも近いときには災害レベルＬＶ３とされている。また、震源地のマグニチュードについては、例えば、基準値としてマグニチュード４．０よりも小さいときには災害レベルＬＶ１、マグニチュード４．１〜７．０のときには災害レベルＬＶ２、マグニチュード７．１を超えるときには災害レベルＬＶ３とされている。
【００４１】
また、近隣情報としては、例えば、『要救助』で災害レベルＬＶ２、『音信不通』で災害レベルＬＶ３とされている。更に、経過時間については、基準値として、例えば１週間以上で災害レベルＬＶ１、４日以内で災害レベルＬＶ２、２日以内で災害レベルＬＶ３とされている。前述のように、図６のステップ２０４では、この図８に示すようなレベル判断テーブルをＨＤＤから読み出してメモリにセットし、ステップ２０５に示すように得られた災害情報によって照会する。そして、ステップ２０６に示すように災害レベルＬＶ１〜災害レベルＬＶ３を決定して、その災害レベルをメモリにセットしている。
【００４２】
このように、災害種別ごとに定められたレベル判断テーブルと、取得された災害情報とのマッチングから、ＵＩを決定する指針となる災害レベルが決定される。このレベル判断テーブルは、評価項目ごとに災害レベルに応じた基準値が定められている。レベル判断テーブルと災害情報とのマッチングを観察することで、各評価項目ごとに好ましい災害レベルが得られる。そして、この災害レベルの決定は、災害情報の評価項目の中で、例えば最も高いレベルを用いて決定することができる。また、例えば平均的なレベルを決めることも可能である。更に、評価項目別にレベルを決定し、項目ごとにＵＩを変更しても良い。
【００４３】
次に、図５のステップ１０３に示すＵＩ情報配信処理について説明する。
図９は、ＵＩ情報配信処理を詳述するフローチャートである。サーバ５０のＵＩ情報配信部５４は、サーバ５０のクライアント情報ＤＢ５８（図１参照）より配信先クライアントのアドレスを選択し、作業用のメモリにセットする（ステップ３０１）。そして、配信先クライアント（配信先の画像処理装置１０）の場所、種別、災害レベルに応じたＵＩを、ＵＩ情報を保持したＵＩ情報メモリ５９（図１参照）より選択する（ステップ３０２）。
【００４４】
尚、判断および選択の基準としては、これらの他に、災害発生からの経過時間も考慮することができる。例えば、災害発生の直前であれば、二次災害防止機能や、耐震機能等に関するＵＩ情報が配信されることが好ましい。また、発生直後から数時間の間では、例えば電源・回線の確保、トナーなどの節約モード、災害情報との連動、他機器との連携などに関するＵＩ情報が配信されることが望まれる。更には、例えば半日〜１日経過後、およびそれ以降の数日間までは、地域情報の収集や、地域への情報展開などに関するＵＩ情報が好ましい。ＵＩ情報配信部５４は、この経過時間に応じた好ましいＵＩ情報を、ＵＩ情報メモリ５９から選択する。
【００４５】
その後、全てのクライアントのＵＩを選択したか否かを判断し（ステップ３０３）、全てを選択するまで処理を繰り返す。全てのクライアントのＵＩを選択した後に、外部ＩＦ５５（図１参照）を介してＵＩ情報を配信して（ステップ３０４）、ＵＩ情報配信処理を終了し、ステップ１０４へ移行する。尚、全てのクライアントのＵＩを選択する前に、適宜、配信処理を行うように構成することもできる。
【００４６】
次に、図９に示すＵＩ情報配信処理によってサーバ５０から配信され、画像処理装置１０のユーザインタフェース（ＵＩ）１３を構成するディスプレイにて表示されるＵＩ表示について、図１０〜図１３を用いて説明する。
図１０は、通常時の機能選択ユーザインタフェース（ＵＩ）の一例を示した図である。通常時では、図１０に示すように、画像処理装置１０が実行可能な各種機能が選択できるようなユーザインタフェースが提供される。勿論、画像処理装置１０の種類によって、実行可能な基本機能が異なる。また、一般的には、この図１０に示すような表示から所定の機能を選択した後、各機能ごとの詳細なユーザインタフェースに移行する。
【００４７】
図１１は、機能選択のための災害時ユーザインタフェース（ＵＩ）の第１例を示した図である。図１１に示す例では、スキャナとファクシミリ（ＦＡＸ）が使用できない（使用不可能である）ことが明示されており、この例では、これらの選択ができないように設定されている。災害の種類に応じて、また、配信先クライアントに応じて、使用不可とする機能を変えることも可能である。
【００４８】
図１２は、災害時ユーザインタフェース（ＵＩ）の第２例を示した図である。この第２例では、機能選択のための制限（ここでは、『ファイル操作の制限』）とともに、災害時特別機能（ここでは『安否確認機能』）の選択が、図１１に示した通常ＵＩに追加されている。また、図１２では、テキスト情報や図等（ＷＷＷなど）の災害情報表示も通常ＵＩに追加される。
【００４９】
ここで、例えば『安否確認機能』では、画像処理装置１０を利用して、例えば官公庁への安否登録などを行うことが可能である。一例を挙げると、『安否確認機能』の選択がなされたことを認識した後、安否登録のための記入フォーマットが印刷されたプリントを出力させるための表示を行う。この表示に従ってなされたプリント出力の指示を認識した場合には、安否登録のための記入フォーマットのプリントを画像形成部２３から出力する。また、『安否確認機能』のＵＩでは、記入フォーマットの読み込みを指示することができる。記入フォーマットに、例えば画像処理装置１０が機械認識をすることができるコード情報などが印刷されている場合には、このコード情報を頼りにしてダイヤリング等を行い、例えば安否登録を一括処理する自治体などへ、読み込んだ画像をファクシミリ送信することも可能である。このようにして、画像処理装置１０を、災害発生時の救済援助端末として利用することも可能である。
【００５０】
図１３は、災害時ユーザインタフェース（ＵＩ）の第３例を示した図である。この第３例では、図１０に示すような通常時における機能選択ユーザインタフェース（ＵＩ）からの機能限定や追加ではなく、特に緊急を要するような近郊での災害発生時に、災害対応に特化した機能をユーザに提供する際のＵＩ例である。ここでは、災害時特別機能として、災害時の情報の収集展開に関する機能（安否登録、臨時行政サービス）や、支援情報に関する機能（要支援情報登録）が表示されている。また、「省トナーモードコピー」等の機能を限定した画像処理装置の機能の選択（限定機能の選択）が表示されている。
【００５１】
図１４は、以上のような各種ユーザ情報の配信例を示した図である。図１４では、サーバ５０が配信管理する複数のクライアント（画像処理装置１０）が示されている。そして、この複数のクライアントは、近郊する地域でまとめられて、地区Ａ、地区Ｂ、および地区Ｃといった複数の地区に分類されている。これらの地区Ａ、地区Ｂ、地区Ｃ等の分類は、クライアント情報ＤＢ５８（図１参照）にクライアントの情報が保持される際、予め地区の分類情報も含めて保持されることで実現できる。また、クライアント情報ＤＢ５８に保持されているクライアントの設置場所情報から、災害の状況、レベル等に応じて、例えばＵＩ情報配信部５４（図１参照）により適宜、地区区分を決定するように構成することもできる。このように構成すれば、災害の状況、レベルに応じて、より適切なＵＩ情報をクライアントに提供することが可能となる。
【００５２】
図１４では、まず、地区ＡにはＵＩの変更がないことから、終了情報を出力し（図６参照）、図１０に示すような通常時のＵＩ情報を地区Ａのクライアント（画像処理装置１０）に配信する。または、地区Ａのクライアントが通常状態にいる場合には、ＵＩ情報を新たに配信しない処理を選択することもできる。また、図１４の例では地区Ｂは、例えば災害の影響は中程度とすることができる。そこで、例えば図１２に示す第２例の災害時ＵＩのＵＩ情報を地区Ｂのクライアント（画像処理装置１０）に配信する。更に図１４の例では、地区Ｃは、例えば災害発生の近郊地域等、災害の影響が大きい地域を示している。この地区Ｃには、図１３に示す第３の例の災害時ＵＩからなる災害ＵＩが配信される。このように、本実施の形態では、特定地域ごとに異なるＵＩがサーバ５０から配信される。この配信方法としては、サーバ５０からプッシュ方式で配信する場合の他、クライアント（画像処理装置１０）がプル方式で配信を受けても良い。
【図面の簡単な説明】
【００５３】
【図１】本実施の形態が適用される画像形成システムの第１の構成例を示す機能ブロック図である。
【図２】画像形成システムの第２の構成例を示す機能ブロック図である。
【図３】画像形成システムの第３の構成例を示す機能ブロック図である。
【図４】画像形成システムの第４の構成例を示す機能ブロック図である。
【図５】画像形成システムにて実行される全体処理を示したフローチャートである。
【図６】図５のステップ１０２に示すＵＩ切替判断処理を詳述するフローチャートである。
【図７】災害情報取得部にて取得され、ＵＩ切替判断部の判断処理に用いられる災害情報の一例を示した図である。
【図８】レベル判断テーブルの例を示した図である。
【図９】ＵＩ情報配信処理を詳述するフローチャートである。
【図１０】通常時の機能選択ユーザインタフェース（ＵＩ）の一例を示した図である。
【図１１】機能選択のための災害時ユーザインタフェース（ＵＩ）の第１例を示した図である。
【図１２】災害時ユーザインタフェース（ＵＩ）の第２例を示した図である。
【図１３】災害時ユーザインタフェース（ＵＩ）の第３例を示した図である。
【図１４】各種ユーザ情報の配信例を示した図である。
【符号の説明】
【００５４】
１０…画像処理装置、１１…外部ＩＦ（インタフェース）、１２…ＵＩ情報受信部、１３…ユーザインタフェース（ＵＩ）、１４…装置制御部、２２…画像処理部、２３…画像形成部、４０…ネットワーク、５０…サーバ、５１…ユーザインタフェース（ＵＩ）、５２…災害情報取得部、５３…ＵＩ切替判断部、５４…ＵＩ情報配信部、５５…外部ＩＦ（インタフェース）、５６…災害認識部、５７…地区判断部、５８…クライアント情報データベース（ＤＢ）、５９…ＵＩ情報メモリ（データベース：ＤＢ）
【図１】
2008059530.tif 000003
【図２】
2008059530.tif 000004
【図３】
2008059530.tif 000005
【図４】
2008059530.tif 000006
【図５】
2008059530.tif 000007
【図６】
2008059530.tif 000008
【図７】
2008059530.tif 000009
【図８】
2008059530.tif 000010
【図９】
2008059530.tif 000011
【図１０】
2008059530.tif 000012
【図１１】
2008059530.tif 000013
【図１２】
2008059530.tif 000014
【図１３】
2008059530.tif 000015
【図１４】
2008059530.tif 000016